(57)【要約】【課題】ヘチマを利用しつつも泡立ちのよい垢すりを提供する。【解決手段】ヘチマ部１１０と、合成繊維部１２０とを備えた垢すりであって、ヘチマ部１１０は、ヘチマの果実から、外皮や種等を取り除き、乾燥させたものを適当な大きさに切断したものから構成され、合成繊維部１２０は、ヘチマ部１１０より長い所定の長さを有する３本の帯状体で構成されており、３本の帯状体はそれぞれ、ヘチマ部１１０の長手方向に延びる貫通孔に通されて、ヘチマ部１１０の両側で三つ編みにされている。【選択図】図１
0003154585.tif 000002
【実用新案登録請求の範囲】
【請求項１】
ヘチマ部と、合成繊維部とを備え、
前記合成繊維部は、前記ヘチマ部が有する貫通孔に挿通されている
ことを特徴とする垢すり。
【請求項２】
前記合成繊維部は、３本の帯状体で構成され、当該３本の帯状体はそれぞれ、前記ヘチマ部が有する３つの貫通孔にそれぞれ挿通されている
ことを特徴とする請求項１に記載の垢すり。
【請求項３】
前記３本の帯状体は、前記ヘチマ部の両側において、三つ編みにされている
ことを特徴とする請求項２に記載の垢すり。
【請求項４】
前記３つの貫通孔は、前記ヘチマ部の端面において三角形をなしている
ことを特徴とする請求項２又は３に記載の垢すり。
【請求項５】
前記合成繊維部は、１本の帯状体で構成され、当該１本の帯状体は、前記ヘチマ部が有する１つの貫通孔に一方の端面から挿入され、他方の端面において折り返されて、前記ヘチマ部が有する他の貫通孔に挿入されている
ことを特徴とする請求項１に記載の垢すり。
【請求項６】
前記ヘチマ部は、乾燥させたヘチマの両端部を切断したもので構成されている
ことを特徴とする請求項１〜５のいずれか一項に記載の垢すり。
【請求項７】
前記合成繊維部は、ナイロンで構成されている
ことを特徴とする請求項１〜６のいずれか一項に記載の垢すり。
【考案の詳細な説明】
【技術分野】
【０００１】
本考案は、入浴の際等の身体洗い時に用いる垢すりに関する。
【背景技術】
【０００２】
従来の垢すりは、ナイロン素材若しくはポリエステル素材のもの、又は、綿素材のものが主であるが、これら以外にも、例えば、天然素材のヘチマを利用したものも存在する。
【０００３】
このヘチマの垢すりは、天然素材であるヘチマを利用しているということもあり、肌への感触もよく、また、垢の落ちも良い。
【０００４】
しかしながら、ヘチマの垢すりの場合、石鹸や液体身体洗浄料（ボディシャンプー）等を付着させてもほとんど泡立ちが発生しないという問題があった。
【０００５】
また、ヘチマの垢すりは、通常、適当な大きさに切断されたものを片手に持って使用するようになっており、背中などを擦るのが難しかった。
【０００６】
なお、実開平５−００１３９６号公報には、所定長さに分断したヘチマを、その種孔を利用して連結紐を挿通し且つ相互のヘチマ間に結び目を形成して一連に連結し、前記連結紐の両外端に自在継手を介して所定長さの把手紐を繋いで成るヘチマ洗い具が開示されている。
【先行技術文献】
【特許文献】
【０００７】
【特許文献１】実開平５−００１３９６号公報
【考案の概要】
【考案が解決しようとする課題】
【０００８】
本考案の目的は、ヘチマを利用しつつも泡立ちのよい垢すりを提供することにある。
【課題を解決するための手段】
【０００９】
本考案に係る垢すりは、ヘチマ部と、合成繊維部とを備え、前記合成繊維部は、前記ヘチマ部が有する貫通孔に挿通されていることを特徴とする。
【００１０】
この場合において、前記合成繊維部は、３本の帯状体で構成され、当該３本の帯状体はそれぞれ、前記ヘチマ部が有する３つの貫通孔にそれぞれ挿通されているようにしてもよい。更に、前記３本の帯状体は、前記ヘチマ部の両側において、三つ編みにされているようにしてもよい。また、前記３つの貫通孔は、前記ヘチマ部の端面において三角形をなしているようにしてもよい。
【００１１】
あるいは、前記合成繊維部は、１本の帯状体で構成され、当該１本の帯状体は、前記ヘチマ部が有する１つの貫通孔に一方の端面から挿入され、他方の端面において折り返されて、前記ヘチマ部が有する他の貫通孔に挿入されているようにしてもよい。
【００１２】
また、以上の場合において、前記ヘチマ部は、例えば、乾燥させたヘチマの両端部を（例えば、その長手方向とは垂直な方向に）切断したもので構成されている。また、前記合成繊維部は、例えば、ナイロンで構成されている。
【考案の効果】
【００１３】
本考案によれば、ヘチマを利用しつつも泡立ちのよい垢すりを提供することができる。
【図面の簡単な説明】
【００１４】
【図１】本考案による垢すり１００の構成を説明するための図である。
【図２】垢すり１００の製造方法を説明するための図である。
【図３】３本の帯状体１２１の編み方を説明するための図である。
【図４】本考案による片手用垢すり４００の構成を説明するための図である。
【考案を実施するための形態】
【００１５】
以下、本考案の実施の形態について、図面を参照しつつ詳細に説明する。
【００１６】
図１は、本考案による垢すりの構成を説明するための図である。
【００１７】
同図に示すように、本考案による垢すり１００は、ヘチマ部１１０と、合成繊維部１２０とを備える。
【００１８】
ヘチマ部１１０は、肌を擦って垢を落とすために利用される部分であって、ヘチマの果実から、外皮や種等を取り除き、乾燥させたものを適当な大きさに切断したものから構成されている。
【００１９】
合成繊維部１２０は、ヘチマ部１１０の両側に延びるように配置され、ヘチマ部１１０で背中などを擦る際に、利用者が把持する部分であって、ナイロンやポリエステル等の合成繊維によって構成されている。合成繊維部１２０を構成する生地（布地）は、従来の合成繊維製の垢すりと同様に、石鹸や液体身体洗浄料（ボディシャンプー）等を付着させた際に、よく泡立つように加工されている。
【００２０】
後述するように、本実施形態では、合成繊維部１２０は、ヘチマ部１１０より長い所定の長さを有する３本の帯状の生地（帯状体）で構成されており、３本の帯状体はそれぞれ、ヘチマ部１１０の長手方向に延びる種孔（貫通孔）に通されて、ヘチマ部１１０の両側で三つ編みにされる。
【００２１】
次に、以上のような構成を有する垢すり１００の製造方法について説明する。
【００２２】
図２は、垢すり１００の製造方法を説明するための図である。
【００２３】
まず、同図（ａ）に示すように、ヘチマの果実から外皮や種等を適宜取り除き、乾燥させたもの（乾燥ヘチマ）を適当な長さ（例えば、一般成人の背中幅に応じた長さ）に切断することでヘチマ部１１０を形成する。すなわち、ヘチマ部１１０が所定の長さになるよう、乾燥ヘチマの両端部を、その長手方向に垂直な方向に切断する。そして、端部の切断による断面に形成されている複数の貫通孔の中から、合成繊維部１２０を構成する３本の帯状体を通すための３つの貫通孔１１１を選択する。同図では、選択された３つの貫通孔１１１のみを示している。なお、３つの貫通孔１１１を選択する際は、出来るだけ３つの貫通孔１１１が断面において正三角形をなすような位置関係にあるものを選択する。
【００２４】
次に、同図（ｂ）に示すように、選択した３つの貫通孔１１１のそれぞれに、３本の帯状体１２１のそれぞれを通し、ヘチマ部１１０の両側に同じように一定の長さだけ、はみ出させる。各帯状体１２１は、ヘチマ部１１０より長い所定の長さを有する細長い矩形状の合成繊維の生地で構成されており、例えば、通常のナイロン製垢すりタオルを適当な幅に切断することで作られる。各帯状体１２１の長さ及び幅は、すべて同一に形成される。
【００２５】
次に、同図（ｃ）に示すように、ヘチマ部１１０の両側にはみ出している３本の帯状体１２１をそれぞれ三つ編みにし、最後に、端部を三つ編みがほどけないような結び方で結んで完成である。
【００２６】
図３は、本実施形態における３本の帯状体１２１の編み方、すなわち、三つ編みの方法を説明するための図である。同図においては、わかりやすいように、３本の帯状体１２１を３本の紐Ｘ，Ｙ，Ｚで示している。
【００２７】
まず、同図（ａ）に示すように、３本の紐Ｘ，Ｙ，Ｚを横一列に並べ、左右のいずれか一方の紐を、中央の紐と交差させる。例えば、同図（ｂ）に示すように、左側の紐Ｘが中央の紐Ｙの上を通るように、両者を交差させる。その結果、同図（ｂ）に示すように、３本の紐の下端部は、左から、Ｙ−Ｘ−Ｚの順に並ぶことになる。
【００２８】
次に、交差させていない残りの一本の紐を、そのとき下端部が中央にある紐と交差させる。すなわち、同図（ｃ）に示すように、紐Ｚが紐Ｘの上を通るように、両者を交差させる。このように、そのとき下端部が左右のいずれかの一方にある紐を、そのとき下端部が中央の紐と交差させる際は、左側又は右側の紐がいつも上下同じ側（同図の例では、上側）を通るようにする。その結果、同図（ｃ）に示すように、３本の紐の下端部は、左から、Ｙ−Ｚ−Ｘの順に並ぶことになる。
【００２９】
次に、そのとき下端部が左側にある紐を、そのとき下端部が中央にある紐と交差させる。すなわち、同図（ｄ）に示すように、紐Ｙが紐Ｚの上を通るように、両者を交差させる。その結果、同図（ｄ）に示すように、３本の紐の下端部は、左から、Ｚ−Ｙ−Ｘの順に並ぶことになる。
【００３０】
次に、そのとき下端部が右側にある紐を、そのとき下端部が中央にある紐と交差させる。すなわち、同図（ｅ）に示すように、紐Ｘが紐Ｙの上を通るように、両者を交差させる。その結果、同図（ｅ）に示すように、３本の紐の下端部は、左から、Ｚ−Ｘ−Ｙの順に並ぶことになる。
【００３１】
以下同様に、左右交互に、そのとき下端部が左側又は右側にある紐を、そのとき下端部が中央にある紐と交差させていく。すなわち、同図（ｆ）に示すように、紐Ｚが紐Ｘの上を通るように、両者を交差させ、次に、同図（ｇ）に示すように、紐Ｙが紐Ｚの上を通るように、両者を交差させ、次に、同図（ｈ）に示すように、紐Ｘが紐Ｙの上を通るように、両者を交差させる。このように、左右交互に、そのとき下端部が左側又は右側にある紐を、そのとき下端部が中央にある紐と交差させることを繰り返していくことで、３本の紐Ｘ，Ｙ，Ｚが三つ編みにされていく。
【００３２】
そして、最後は、三つ編みがほどけないように、端部に結び目を形成する。例えば、そのとき下端部が左右両側にある２本を、そのとき下端部が中央にある紐の上で交差させて結ぶことで、端部に結び目を形成する。
【００３３】
以上のようにして、ヘチマ部１１０に挿通させた３本の帯状部１２１を、ヘチマ部１１０の両側においてそれぞれ三つ編みにすることにより垢すり１００が完成する。
【００３４】
以上のようにして製造された垢すり１００においては、ヘチマ部１１０と合成繊維部１２０とが一体化されることになる。すなわち、ヘチマ部１１０が有する３つの貫通孔１１１それぞれに、合成繊維部１２０を構成する３本の帯状体１２１をそれぞれ挿通させるようにしているので、合成繊維部１２０に対してヘチマ部１１０が回転しないようになっており、また、合成繊維部１２０を構成する３本の帯状体１２１をヘチマ部１１０の両側で三つ編みにしているので、合成繊維部１２０に対してヘチマ部１１０が左右方向にずれないようにもなっている。その結果、ヘチマ部１１０を背中側に回し、合成繊維部１２０の両端部を両手で握り、ヘチマ部１１０を背中等に当てた状態で、合成繊維部１２０の両端部を握った手を左右交互に同方向に動かすことで、背中等を強く擦ることが可能となる。更に、垢すり１００においては、三つ編みの終端部に結び目が形成されているので、これが握った手の滑り止めとなり、ヘチマ部１１０を背中等に強く押し当てることができるようになり、更に、背中等を強く擦ることが可能となる。
【００３５】
また、合成繊維部１２０を構成する３本の帯状体１２１をそれぞれ挿通させるヘチマ部１１０の貫通孔１１１として、断面（端面）において三角形をなすような位置関係にあるものを選択しているので、合成繊維部１２０の両端部を持って両側に強く引っ張った際、ヘチマ部１１０が三角柱に近い形状に変形することとなり、背中等に当てるヘチマ部１１０の面（側面）を安定させることができる。そして、この三角柱のどの側面を身体に触れさせるかは、持ち手の握り替え等することで、使用者の意思により自由に変えることができるので、ヘチマ部１１０の表面（側面）を万遍なく使うことも可能となる。
【００３６】
また、垢すり１００においては、ヘチマ部１１０が有する貫通孔１１１に、石鹸等がよく泡立つ合成繊維の帯状体１２１を挿通させているので、石鹸等を付着させた際、当該合成繊維の帯状体１２１からヘチマ部１１０を介して泡立ちが発生するようになり、ヘチマの硬さに石鹸等の泡の柔らかさが加わって、旧来のヘチマの垢すりでは得られなかった滑らかな感触が得られる。
【００３７】
また、垢すり１００においては、材料としては、ヘチマと合成繊維という２種類の材料だけで済むため、コスト的にも抑えることができる。また、ヘチマ及び合成繊維は、一般に、綿等に比べて乾燥が速いため、衛生的にも優れている。なお、より速く乾燥させることができるよう、三つ編みした合成繊維部１２０の端部に、ぶら下げ用のフック等を取り付けるようにしてもよい。
【００３８】
また、垢すり１００においては、所定の長さに切断された乾燥ヘチマの貫通孔に、３本の帯状体を挿通させ、はみ出している３本の帯状体を、三つ編みするだけで製造することができるので、その製造も容易である。
【００３９】
以上詳細に説明したように、上述した垢すり１００は、ヘチマ部１１０と、当該ヘチマ部１１０を貫通してその両側に延びる合成繊維部１２０とで構成されているので、ヘチマ部１１０で身体の背面を強く摩擦できるとともに、ヘチマ部１１０に滑らかな石鹸等の泡立ちを発生させることが可能となる。
【００４０】
次に、本考案による別の垢すりについて説明する。
【００４１】
前述した垢すり１００は、基本的に、ヘチマ部１１０の両側に設けられた合成繊維部１２０の両端部を両手で持って使用するものであったが、以下では、基本的に片手に持って使用するものについて説明する。
【００４２】
図４は、本考案による片手用垢すりの構成を説明するための図である。
【００４３】
同図に示すように、本考案による片手用垢すり４００は、ヘチマ部４１０と、合成繊維部４２０とを備える。
【００４４】
ヘチマ部４１０は、前述したヘチマ部１１０と同様に、肌を擦って垢を落とすために利用される部分であって、乾燥ヘチマを適当な大きさに切断したものから構成されている。
【００４５】
合成繊維部４２０は、１本の帯状の生地（帯状体）４２１で構成されており、当該帯状体４２１は、図４に示すように、ヘチマ部４１０の長手方向に延びる種孔（貫通孔）４１１に通される。より具体的には、一方の端面から一つの貫通孔４１１に挿入された帯状体は、他方の端面において折り返されて、別の貫通孔４１１に挿入される。すなわち、帯状体４２１の両方の端部が、ヘチマ部４１０の一方の端面からはみ出すこととなる。なお、当該はみ出した帯状体４２１の端部については、帯状体４２１がヘチマ部４１０の貫通孔４１１から抜けてしまわないように、適当な方法で結ぶようにしてもよい。
【００４６】
合成繊維部４２０を構成する帯状体４２１は、ヘチマ部４１０の長さの２倍以上の長さを有する細長い矩形状の合成繊維の生地で構成されている。帯状体４２１を構成する合成繊維は、従来の合成繊維製の垢すりと同様に、石鹸や液体身体洗浄料（ボディシャンプー）等を付着させた際に、よく泡立つように加工されている。帯状体４２１は、例えば、通常のナイロン製垢すりタオルを適当な幅に切断することで作られる。
【００４７】
片手用垢すり４００においても、前述した垢すり１００と同様に、ヘチマ部４１０が有する貫通孔に、石鹸等がよく泡立つ合成繊維の帯状体４２１を挿通させているので、石鹸等を付着させた際、当該合成繊維の帯状体４２１からヘチマ部４１０を介して泡立ちが発生するようになり、ヘチマの硬さに石鹸等の泡の柔らかさが加わって、旧来のヘチマの垢すりでは得られなかった滑らかな感触が得られる。
【００４８】
以上詳細に説明したように、本考案による垢すりは、ヘチマ部と、当該ヘチマ部を貫通する合成繊維部とで構成されているので、ヘチマ部に滑らかな石鹸等の泡立ちを発生させることができる。
【符号の説明】
【００４９】
１００    垢すり
１１０    ヘチマ部
１１１    貫通孔
１２０    合成繊維部
１２１    帯状部
Ｘ，Ｙ，Ｚ    紐
４００    垢すり
４１０    ヘチマ部
４１１    貫通孔
４２０    合成繊維部
４２１    帯状体
【図１】
0003154585.tif 000003
【図２】
0003154585.tif 000004
【図３】
0003154585.tif 000005
【図４】
0003154585.tif 000006